(57)【要約】【課題】スリングにセットして使用され、スリングおよびワークに対する保護効果が高いプロテクターを提供する。【解決手段】屈曲性を有する材質からなる所定長さ寸法の本体ベルト１１と、この本体ベルトの長さ方向に間隔をおいた少なくとも２箇所でその一面に結着されるスリング包被体１２，１２とを備えたスリングプロテクター１０である。スリング包被体は本体ベルトの幅方向外方に延長する左右一対の折り返し部１２ａ，１２ｂを有し、これらを折り返して重ね合わせ、面ファスナー部材１５，１６同士を係着させて閉じた状態とすることにより、スリングチェーンＳを収容保持する。このようにしてスリングチェーンにセットしたスリングプロテクターをコラムなどのワークのコーナー部に当てて吊り上げることにより、ワークおよびスリングチェーンを保護する。本体ベルト１１はワークのコーナー部形状に沿って自在に屈曲して密着する。【選択図】図１
2009046254.tif 000002
【特許請求の範囲】
【請求項１】
屈曲性を有する材質からなる所定長さ寸法の本体ベルトと、この本体ベルトの長さ方向に間隔をおいた少なくとも２箇所でその一面に結着されるスリング包被体とを備え、スリング包被体は本体ベルトの幅方向外方に延長する左右一対の折り返し部を有し、一方の折り返し部の一面に第一係着手段が設けられると共に折り返したときに該一方の折り返し部の上に重なる他方の折り返し部の一面に第一係着手段と係着可能な第二係着手段が設けられることを特徴とするスリングプロテクター。
【請求項２】
第一係着手段と第二係着手段が、互いに係着可能な面ファスナー部材からなることを特徴とする、請求項１記載のスリングプロテクター。
【請求項３】
スリングをスリング包被体の間において本体ベルトに結束するための結束手段がスリング包被体の間に設けられることを特徴とする、請求項１または２記載のスリングプロテクター。
【請求項４】
結束手段が本体ベルトに付属していることを特徴とする、請求項３記載のスリングプロテクター。
【発明の詳細な説明】
【技術分野】
【０００１】
本発明は、クレーンなどでワークを吊り上げ運搬する際にチェーンスリング、ベルトスリング、ワイヤロープスリングなどのスリングおよびワークの両者を保護するためにスリングと共に使用されるスリングプロテクターに関する。
【背景技術】
【０００２】
クレーンなどでワークを玉掛けにて吊り上げ運搬する場合、チェーンスリングなどのスリングおよびワークの両者を保護する目的で、従来よりプロテクター（クレーン用語では「当てもの」）が使用されている。プロテクターとしては、麻袋、古タイヤ、木材、鋼板をＬ字状に折り曲げたもの、鋼管を縦半分に切断したものなどがワークの形状や重量などに応じて選択して使用され、ワークのコーナー部などに当てた上にチェーンなどを通して吊り上げることにより、スリングおよびワークを保護する。
【発明の開示】
【発明が解決しようとする課題】
【０００３】
しかしながら、上記従来技術によると、プロテクターがスリングと分離しているため、ワークのコーナー部にプロテクターを当てる場合、クレーンなどのフックに掛けたスリングをクレーンで寸動操作しながらプロテクターを所定箇所にセットしなければならず、大変な労力を要し効率が悪い作業となっていた。また、プロテクターをセットするときに作業者の手がワークとプロテクターの間に挟まれてしまう危険があった。
【０００４】
さらに、チェーンスリングは交互に直交状態で連結される縦横のクロスチェーン列からなっているところ、従来技術によると、プロテクターに対するチェーンスリングの位置関係（向き）を一定にすることが困難であった。チェーンスリングの一列のクロスチェーンのみがプロテクターと接触すると、クロスチェーンの１リンク当たりの面圧が大きくなって、チェーンに傷が付くことがあった。
【０００５】
したがって、本発明の課題は、スリングにセットして使用され、スリングおよびワークに対する保護効果が高いプロテクターを提供することにある。
【課題を解決するための手段】
【０００６】
上記課題を解決するため、請求項１にかかる本発明は、屈曲性を有する材質からなる所定長さ寸法の本体ベルトと、この本体ベルトの長さ方向に間隔をおいた少なくとも２箇所でその一面に結着されるスリング包被体とを備え、スリング包被体は本体ベルトの幅方向外方に延長する左右一対の折り返し部を有し、一方の折り返し部の一面に第一係着手段が設けられると共に折り返したときに該一方の折り返し部の上に重なる他方の折り返し部の一面に第一係着手段と係着可能な第二係着手段が設けられることを特徴とするスリングプロテクターである。
【０００７】
請求項２にかかる本発明は、請求項１記載のスリングプロテクターにおいて、第一係着手段と第二係着手段が、互いに係着可能な面ファスナー部材からなることを特徴とする。
【０００８】
請求項３にかかる本発明は、請求項１または２記載のスリングプロテクターにおいて、スリングをスリング包被体の間において本体ベルトに結束するための結束手段がスリング包被体の間に設けられることを特徴とする。
【０００９】
請求項４にかかる本発明は、請求項３記載のスリングプロテクターにおいて、結束手段が本体ベルトに付属していることを特徴とする。
【発明の効果】
【００１０】
本体ベルトの長さ方向に沿ってスリングを載せ、少なくとも２箇所に設けられているスリング包被体の折り返し部を折り返してスリングを包被した状態で面ファスナー同士を係着させることにより、本発明のスリングプロテクターがスリングにセットされる。さらに結束バンドでスリングを結束すれば、より安定した取付状態が得られる。この状態で、スリングプロテクターの本体ベルトを吊りワークのコーナー部などに当てて吊り作業を行うことができるので、従来技術のようにスリングとは別体のプロテクターをセットする際の面倒な作業が不要となり、作業者が手を挟む危険も回避することができる。
【００１１】
面ファスナー同士を係着するだけでスリングにセットすることができるので、取り付け・取り外しが用意である。また、上記のようにしてスリングにセットした後であっても、包被体を閉じた状態のままでスリングをスライドさせることにより、スリングプロテクターを吊りワークに対して最適な位置に簡単に移動させることができる。
【００１２】
本発明のスリングプロテクターは簡単な縫製作業だけで作製可能であるため、低コストで製品化することができる。
【発明を実施するための最良の形態】
【００１３】
図１および図２は、本発明の第一実施例によるチェーンスリングプロテクター１０を示す。このチェーンスリングプロテクター１０は、本体ベルト１１の両端にスリング包被体１２，１２が縫着された構成を有する。
【００１４】
本体ベルト１１は吊りワークのコーナー部などに当てたときに該コーナー部などの形状に沿って変形可能な屈曲性・柔軟性を有する。ただし、本体ベルト１１はその使用において専ら幅方向に延長する折れ線で屈曲するものであり（図５参照）、その長さ方向に延長する折れ線で屈曲することが要求されることはないので、ここで言う屈曲性・柔軟性とは前者の意味であり、後者の意味では屈曲性・柔軟性を有していなくても良い。また、本体ベルト１１は、さらに、繰り返し使用に耐える強度および耐久性と、吊りワークを酸洗する場合を考慮して耐酸性も兼ね備えた材質からなることが好ましい。これらの観点から、たとえばポリエステル繊維またはアラミド繊維から製造されたものであることが好ましい。このような本体ベルト１１としては、それ自体としてスリングとして使用されることを前提として製造されたスリングベルトを用いることができる。
【００１５】
この実施形態では、略同一長さを有しながら幅寸法の異なる２枚のスリングベルト１１ａ，１１ｂ（たとえば７５ｍｍ幅の幅広スリングベルト１１ａとたとえば５０ｍｍ幅の幅狭スリングベルト１１ｂ）を同一中心線上で重ね合わせ、３本の縫糸１３ａ，１３ｂ，１３ｃで縫着一体化して、強度および耐久性に優れた本体ベルト１１としている。
【００１６】
スリング包被体１２，１２は折り返し可能な屈曲性を備えた生地からなり、本体ベルト１１の両端において幅広スリングベルト１１ａに縫糸１４ａ，１４ｂで縫着されている。幅広スリングベルト１１ａと幅狭スリングベルト１１ｂとを縫着している縫糸１３ａ，１３ｂ，１３ｃの全部または一部をスリング包被体１２，１２をも一緒に縫着するように用いて、これらの縫着強度を高めるようにしても良い。
【００１７】
スリング包被体１２，１２の形状および構成は同一である。各スリング包被体１２は本体ベルト１１よりも十分に大きな幅寸法を有し、本体ベルト１１の幅方向外側に突出した一対の折り返し部１２ａ，１２ｂを有する。一方の折り返し部１２ａの一面（図１において表面側）には、互いに係着可能な一対の面ファスナーの一方の部材１５が縫着され、他方の折り返し部１２ｂの一面（図１において裏面側）には他方の面ファスナー部材１６が縫着されている。これら面ファスナー部材１５，１６は、折り返し部１２ａ，１２ｂを図１裏面側に折り返し、折り返し部１２ｂが上に重なるようにして重ね合わせたとき（図２）に互いに係着可能なように配置されている。また、面ファスナー部材１５は面ファスナー部材１６に対して幅広（たとえば約２倍の幅）とされており、折り返し部１２ａ，１２ｂを重ね合わせたときに多少の位置ずれがあっても面ファスナー部材１５，１６同士の係着が確実に行われるようにしている。
【００１８】
図３は、このチェーンスリングプロテクター１０をスリングチェーンＳにセットするために、スリングチェーンＳをベルト本体１１の幅中心に合わせて載せた状態を示す。スリングチェーンＳはベルト本体１１の幅広スリングベルト１１ａ側に載せられ、したがって一対のスリング包被体１２，１２の上に載せられる。
【００１９】
図３の状態から、各スリング包被体１２の折り返し部１２ａを上方に折り返してスリングチェーンＳ上に被せ、次いで折り返し部１２ｂを上方に折り返して折り返し部１２ａの上に重ねる。これにより、折り返し部１２ａの面ファスナー部材１５と折り返し部１２ｂの面ファスナー部材１６とが係着され、閉じた状態となったスリング包被体１２，１２内にスリングチェーンＳを保持する。この状態が図４に示されている。
【００２０】
図４に示す状態において、面ファスナー部材１５，１６同士の係着を解除しない限り、チェーンスリングプロテクター１０はスリングチェーンＳから離脱することなくセット状態に保持されるが、このセット状態を維持したまま、スリングチェーンＳはチェーンスリングプロテクター１０に対して長さ方向にスライド移動可能である。
【００２１】
図５は、２つのチェーンスリングプロテクター１０，１０をスリングチェーンＳに取り付けてコラム（角パイプ）Ｗを玉掛けで吊り上げたときの状態図である。この場合は、コラムＷの下側の２つのコーナー部を覆うに十分な長さのベルト本体１１を有するチェーンスリングプロテクター１０，１０を一対用いて、その両端に設けられる一対のスリング包被体１２，１２がコラムＷの該コーナー部を挟む側面および下面上に位置し、それらスリング包被体１２，１２間のベルト本体１１中央部が該コーナー部に沿って屈曲しながら略密接するような位置関係で使用する。既述したように、チェーンスリングプロテクター１０のベルト本体１１は屈曲自在な材質で形成されているので、コラムＷのコーナー部の形状に合わせて図示のように屈曲し、ベルト本体１１の幅狭スリングベルト１１ｂがコラムＷのコーナー部および該コーナー部を挟む二面に略密接した状態となる。
【００２２】
チェーンスリングプロテクター１０がセットされた状態のままでもスリングチェーンＳをスライド移動可能であるので、図５に示すような位置関係を容易に得ることができる。この状態でチェーンスリングプロテクター１０，１０をコラムＷに当ててクレーンなどで吊り上げることにより、スリングチェーンＳおよびコラムＷを保護することができる。
【００２３】
図６は本発明の第二実施例によるチェーンスリングプロテクター１７を示す、第一実施例の図４（ｂ）に対応した図である。この実施例によるチェーンスリングプロテクター１７は第一実施例によるチェーンスリングプロテクター１０の変形例であり、同一の部材・要素には同一の符号を付してそれらの説明を省略する。
【００２４】
このチェーンスリングプロテクター１７が既述のチェーンスリングプロテクター１０と異なるのは、一対のスリング包被体１２，１２間においてスリングチェーンＳをベルト本体１１に結束する結束手段としての結束ベルト１８を備えている点である。結束ベルト１８をスリングチェーンＳの一つのチェーンリンクに通してベルト本体１１に結束することにより、スリングチェーンＳはチェーンスリングプロテクター１７の長さ方向の両端でスリング包被体１２，１２による拘束作用を受けることに加えて、その略中央においても結束ベルト１８でベルト本体１１に結束されることになるので、その取付状態がより確実・安定化し、チェーンスリングプロテクター１７がスリングチェーンＳから不慮に離脱することを防止する。
【００２５】
結束ベルト１８は、チェーンスリングプロテクター１７とは別に用意して適宜使用しても良いが、チェーンスリングプロテクター１７にあらかじめ付属したものとすると紛失の危険がなくなり、好ましい。たとえば、第一実施例の図１，図２にＡ部として示される箇所で縫糸１３ａ，１３ｂ，１３ｃの縫目間隔を結束ベルト１８の幅と略同一またはそれより僅かに広く開けておき、ここに結束ベルト１８を通しておく。こうすれば結束ベルト１８がチェーンスリングプロテクター１７の付属品として取り付けられたものとなり、使用時にこれを用いてスリングチェーンＳを結束することができる。
【００２６】
図７は本発明の第三実施例によるチェーンスリングプロテクター１９を示す、第一実施例の図１に対応した図である。この実施例によるチェーンスリングプロテクター１９は第一実施例によるチェーンスリングプロテクター１０の変形例であり、同一の部材・要素には同一の符号を付してそれらの説明を省略する。
【００２７】
このチェーンスリングプロテクター１７が既述のチェーンスリングプロテクター１０と異なるのは、ベルト本体１１の長さ寸法が大きく、その両端にスリング包被体１２，１２が設けられるだけでなく、その中央部にも同様の構成のスリング包被体１２’が設けられている点である。このようにすれば、ワークとの当たり面積（長さ）が大きい場合にも対応できる。このチェーンスリングプロテクター１９において結束ベルト１８を付属させる場合は、たとえば両端のスリング包被体１２と中央のスリング包被体１２’との間（Ａ１，Ａ２）で縫糸１３ａ，１３ｂ，１３ｃの縫目間隔を結束ベルト１８の幅と略同一またはそれより僅かに広く開けておき、ここに結束ベルト１８を通しておけば良い。
【００２８】
本発明について実施例を挙げて説明したが、本発明はこれらに限定されるものではなく、特許請求の範囲によって特定される発明の範囲内において種々の変形態様を取り得る。
【００２９】
たとえば、既述実施例ではスリング包被体を閉じてスリングを収容保持するための手段として面ファスナー部材１５，１６を用いているが、これに限定されるものではなく、上記作用を果たし、且つ、簡単に取り付け・取り外しできるものであれば他の係着手段を用いても良い。
【００３０】
また、既述実施例では幅広スリングベルト１１ａと幅狭スリングベルト１１ｂを縫合してベルト本体１１とし且つ幅広スリングベルト１１ａ側にスリング包被体１２，１２’を逢着しているが、反対に幅狭スリングベルト１１ｂ側にスリング包被体１２，１２’を逢着しても良く、あるいは同幅の２枚のスリングベルトを縫合してベルト本体１１としても良い。さらには、必要強度が得られるならば１枚のスリングベルトでベルト本体１１を構成しても良いし、３枚以上の同幅または異幅のスリングベルトを縫合してベルト本体１１としても良い。
【００３１】
また、既述実施例はいずれもスリングチェーンを保護するスリングプロテクターであるが、ベルトやロープなど他のスリングを保護するスリングプロテクターとして本発明を構成しても良い。
【００３２】
また、ワークはコラムに限定されるものではなく、様々なワークを吊り上げる際のスリングプロテクターとして使用することができる。
【図面の簡単な説明】
【００３３】
【図１】本発明の第一実施例によるチェーンスリングプロテクターの展開状態斜視図である。
【図２】このチェーンスリングプロテクターの一対のスリング包被体を閉じて面ファスナーで係着した状態の斜視図である。
【図３】このチェーンスリングプロテクターを展開状態にしてスリングチェーンを置いたときの状態図である。
【図４】図３の状態から面ファスナー部材同士の係着により一対のスリング包被体を閉じてスリングチェーンを保持した状態を示す平面図（ａ）および正面図（ｂ）である。
【図５】このチェーンスリングプロテクターをスリングチェーンに取り付けてコラムを吊り上げたときの状態図である。
【図６】本発明の第二実施例によるチェーンスリングプロテクターにスリングチェーンを保持した状態の正面図である。
【図７】本発明の第三実施例によるチェーンスリングプロテクターの展開状態斜視図である。
【符号の説明】
【００３４】
１０  チェーンスリングプロテクター（第一実施例のスリングプロテクター）
１１  ベルト本体
１１ａ  幅広スリングベルト
１１ｂ  幅狭スリングベルト
１２、１２’  スリング包被体
１２ａ，１２ｂ  折り返し部
１３ａ，１３ｂ，１３ｃ  縫糸
１４ａ，１４ｂ  縫糸
１５，１６  面ファスナー部材（第一および第二係着手段）
１７  チェーンスリングプロテクター（第二実施例のスリングプロテクター）
１８  結束バンド（結束手段）
１９  チェーンスリングプロテクター（第三実施例のスリングプロテクター）
Ｓ  スリングチェーン
Ｗ  コラム
【図１】
2009046254.tif 000003
【図２】
2009046254.tif 000004
【図３】
2009046254.tif 000005
【図４】
2009046254.tif 000006
【図５】
2009046254.tif 000007
【図６】
2009046254.tif 000008
【図７】
2009046254.tif 000009